(57)【要約】【課題】ハーネスクランプにおいて、径が大きく異なる多種のワイヤーハーネスに対応して、ワイヤーハーネスを回転規制しつつ保持すること。【解決手段】ハーネスクランプ１０は、ワイヤーハーネス１を第１方向に沿って支持する支持面２８を有し、固定相手部９０に対して固定される固定部２０と、固定部２０の支持面２８側でワイヤーハーネス１の外周部に巻き付けられるバンド部３０と、バンド部３０に係止してバンド部３０をワイヤーハーネス１に巻き付けられた形態に維持するバンド係止部４０と、支持面２８のうち第１方向におけるバンド部３０の両側のうち少なくとも一方の位置において突出する小型突部５０と、支持面２８のうち第２方向における中心に対して小型突部５０よりも外側に位置すると共に、第１方向におけるバンド部３０の両側のうち少なくとも一方の位置において、小型突部５０より大きく突出する大型突部６０とを備える。【選択図】図４
2013118741.tif 000002
【特許請求の範囲】
【請求項１】
ワイヤーハーネスを固定相手部に対して固定するハーネスクランプであって、
前記ワイヤーハーネスを第１方向に沿って支持する支持面を有し、前記固定相手部に対して固定される固定部と、
前記固定部の支持面側で前記ワイヤーハーネスの外周部に巻き付けられるバンド部と、
前記バンド部に係止して前記バンド部を前記ワイヤーハーネスに巻き付けられた形態に維持するバンド係止部と、
前記固定部の前記支持面のうち、前記第１方向における前記バンド部の両側のうちの少なくとも一方の位置において突出する小型突部と、
前記固定部の前記支持面のうち、前記第２方向における中心に対して前記小型突部よりも外側に位置すると共に、前記第１方向における前記バンド部の両側のうちの少なくとも一方の位置において、前記小型突部より大きく突出する大型突部と、
を備える、ハーネスクランプ。
【請求項２】
請求項１に記載のハーネスクランプであって、
前記小型突部及び前記大型突部は、それぞれ、前記第２方向において中心に対する両側に設けられている、ハーネスクランプ。
【請求項３】
請求項１又は請求項２に記載のハーネスクランプであって、
前記小型突部及び前記大型突部は、それぞれ、前記第１方向における前記バンド部の両側の位置に設けられている、ハーネスクランプ。
【請求項４】
請求項１〜請求項３のいずれか一項に記載のハーネスクランプであって、
前記バンド部は、前記固定部と別体に形成されている、ハーネスクランプ。
【請求項５】
請求項１〜請求項４のいずれか一項に記載のハーネスクランプであって、
前記固定部は、前記第２方向において隣合って前記支持面からその反対側の面まで貫通して形成され前記バンド部を挿通可能な一対のバンド挿通孔部を有し、
前記バンド係止部は、前記一対のバンド挿通孔部内にそれぞれ設けられ、
前記一対のバンド挿通孔部は、それぞれ、前記支持面における開口縁部のうち前記第２方向における外側の縁部が丸められている、ハーネスクランプ。
【発明の詳細な説明】
【技術分野】
【０００１】
この発明は、ワイヤーハーネスを固定対象に対して固定する技術に関する。
【背景技術】
【０００２】
自動車等に配索されるワイヤーハーネスは、所定の配索経路に敷設され、車体を構成する金属パネル等の固定相手部に対して、電線の延在方向に沿って部分的に固定される。
【０００３】
特許文献１には、バックル部に帯部を挿通して締め付けすることによりワイヤーハーネスの外周をクランプすると共に、バックル部に形成されている係止脚を車両のパネルの取付孔に係止するバンドクランプが開示されている。また、バンドクランプは、バックルのうち帯部で締め付けられたワイヤーハーネスの外周を受ける受承面からワイヤーハーネスの長さ方向に沿って張り出した規制部を備えている。さらに、規制部には、ワイヤーハーネスの電線束にくい込むクサビ形状の規制突部が形成されている。そして、バンドクランプは、規制凸部がワイヤーハーネスの電線束にくい込むことにより、ワイヤーハーネスの周方向の回転及び軸方向のずれを防いでいる。
【０００４】
また、特許文献２にも、特許文献１と同様に、ワイヤーハーネスの外面に突起を食い込ませて、ワイヤーハーネスの回転及び軸方向のずれを防ぐように構成されたパネルロックバンドが開示されている。
【０００５】
さらに、特許文献３には、ワイヤーハーネスを固縛するワイヤーハーネス固縛部とワイヤーハーネスとの間にワイヤーハーネス固縛部と独立して座屈或いは変形可能な舌片状の枝部を１つ以上設け、ワイヤーハーネス固縛部のワイヤーハーネスの円周方向又は長手方向への位置ずれを防止するように構成されたバンドクリップが開示されている。
【先行技術文献】
【特許文献】
【０００６】
【特許文献１】特開２０００−２２０９号公報
【特許文献２】実開平６−１９６６号公報
【特許文献３】特開２００９−２４３５２６号公報
【発明の概要】
【発明が解決しようとする課題】
【０００７】
ところで、ワイヤーハーネスは、延在方向における各部によって、又は、車種、バージョン違いによる品番によって径が異なることがある。
【０００８】
しかしながら、特許文献１、２の技術によると、複数の規制突部又は突起が一定の大きさに設定されているため、大きく径が異なるワイヤーハーネスに対してそれぞれ適用することが困難である。より具体的には、比較的小さい規制突部又は突起を有する治具により大きい径のワイヤーハーネスを保持しても、効果的に回転規制を行うことが困難である。また、比較的大きい規制凸部又は突起を有する治具により小さい径のワイヤーハーネスを保持しても、規制凸部又は突起がワイヤーハーネスの保持の邪魔になってしまう恐れがある。
【０００９】
また、特許文献３の技術によると、より小さい径のワイヤーハーネスに対して適用する場合、舌片状の枝部が邪魔になり、ワイヤーハーネスの保持力が弱くなってしまう恐れがある。
【００１０】
そこで、本発明は、ハーネスクランプにおいて、径が大きく異なる多種のワイヤーハーネスに対応して、ワイヤーハーネスを回転規制しつつ保持することを目的とする。
【課題を解決するための手段】
【００１１】
第１の態様は、ワイヤーハーネスを固定相手部に対して固定するハーネスクランプであって、前記ワイヤーハーネスを第１方向に沿って支持する支持面を有し、前記固定相手部に対して固定される固定部と、前記固定部の支持面側で前記ワイヤーハーネスの外周部に巻き付けられるバンド部と、前記バンド部に係止して前記バンド部を前記ワイヤーハーネスに巻き付けられた形態に維持するバンド係止部と、前記固定部の前記支持面のうち、前記第１方向における前記バンド部の両側のうちの少なくとも一方の位置において突出する小型突部と、前記固定部の前記支持面のうち、前記第２方向における中心に対して前記小型突部よりも外側に位置すると共に、前記第１方向における前記バンド部の両側のうちの少なくとも一方の位置において、前記小型突部より大きく突出する大型突部とを備える。
【００１２】
第２の態様は、第１の態様に係るハーネスクランプであって、前記小型突部及び前記大型突部は、それぞれ、前記第２方向において中心に対する両側に設けられている。
【００１３】
第３の態様は、第１又は第２の態様に係るハーネスクランプであって、前記小型突部及び前記大型突部は、それぞれ、前記第１方向における前記バンド部の両側の位置に設けられている。
【００１４】
第４の態様は、第１〜第３のいずれか一態様に係るハーネスクランプであって、前記バンド部は、前記固定部と別体に形成されている。
【００１５】
第５の態様は、第１〜第４のいずれか一態様に係るハーネスクランプであって、前記固定部は、前記第２方向において隣合って前記支持面からその反対側の面まで貫通して形成され前記バンド部を挿通可能な一対のバンド挿通孔部を有し、前記バンド係止部は、前記一対のバンド挿通孔部内にそれぞれ設けられ、前記一対のバンド挿通孔部は、それぞれ、前記支持面における開口縁部のうち前記第２方向における外側の縁部が丸められている。
【発明の効果】
【００１６】
第１の態様に係るハーネスクランプによると、バンド部を固定部の支持面に沿わせたワイヤーハーネスの外周部に巻き付けられた形態に維持して、固定部を固定相手部に固定することにより、ワイヤーハーネスを固定相手部に固定することができる。また、固定部の支持面のうち、第１方向におけるバンド部の両側のうちの少なくとも一方の位置において突出する小型突部と、第２方向における中心に対して小型突部よりも外側に位置すると共に、第１方向における前記バンド部の両側のうちの少なくとも一方の位置において、小型突部より大きく突出する大型突部とを備えるため、ハーネスクランプにおいて、径が大きく異なる多種のワイヤーハーネスに対応して、ワイヤーハーネスを回転規制しつつ保持することができる。
【００１７】
第２の態様に係るハーネスクランプによると、小型突部及び大型突部が、それぞれ、第２方向において中心に対する両側に設けられているため、ワイヤーハーネスをバランスよく保持することができると共に、より確実にワイヤーハーネスの回転を規制することができる。
【００１８】
第３の態様に係るハーネスクランプによると、小型突部及び大型突部が、それぞれ、第１方向においてバンド部の両側の位置に設けられているため、より確実にワイヤーハーネスの回転を規制することができる。
【００１９】
第４の態様に係るハーネスクランプによると、バンド部が固定部と別体に形成されているため、より簡易な形状となり、金型成型で容易に成形することができる。
【００２０】
第５の態様に係るハーネスクランプによると、固定部が、第２方向において隣合って支持面からその反対側の面まで貫通して形成されバンド部を挿通可能な一対のバンド挿通孔部を有し、バンド係止部が一対のバンド挿通孔部内にそれぞれ設けられ、一対のバンド挿通孔部がそれぞれ支持面における開口縁部のうち第２方向における外側の縁部が丸められているため、バンド部を一対のバンド挿通孔部に通してワイヤーハーネスを保持する際に、バンド部が屈曲されるのを抑制し、効率良く締め付け作業を行うことができる。
【図面の簡単な説明】
【００２１】
【図１】ハーネスクランプの挿入部側から見た斜視図である。
【図２】ハーネスクランプの支持面側から見た斜視図である。
【図３】ハーネスクランプの挿入部側から似た平面図である。
【図４】図３のＩＶ−ＩＶ線断面図である。
【図５】ハーネスクランプを大型のワイヤーハーネスに適用した状態の図である。
【図６】大型突部と大型のワイヤーハーネスとの関係を示す図である。
【図７】ハーネスクランプを小型のワイヤーハーネスに適用した状態の図である。
【図８】小型突部と小型のワイヤーハーネスとの関係を示す図である。
【発明を実施するための形態】
【００２２】
以下、実施形態に係るハーネスクランプ１０について説明する（図１、図２参照）。ハーネスクランプ１０は、ワイヤーハーネス１を保持して固定相手部９０に対して固定するための部材である。また、このハーネスクランプ１０は、保持したワイヤーハーネス１に対して回転及び横ずれすることを抑制するように構成されている。
【００２３】
説明の便宜上、ハーネスクランプ１０の適用対象であるワイヤーハーネス１及び固定相手部９０について説明しておく。
【００２４】
ワイヤーハーネス１は、車両又は電気機器等（ここでは車両の例で説明する）に配索されるワイヤーハーネスであり、少なくとも１本の電線を有する線材である。ここで対象とするワイヤーハーネス１には、１本の電線で構成されたもの、複数本の電線がテープ巻き等により結束されたもの、電線束にコルゲートチューブ等の外装部材が装着されたもの等が含まれるものとする。ここでは、一例として、ワイヤーハーネス１は、複数本の電線が結束され、ハーネスクランプ１０が取り付けられる部分では、各電線が露出されている（テープ或いは外装部材等で覆われていない）ものとする。もっとも、ワイヤーハーネス１のうちのハーネスクランプ１０が取り付けられる部分は、電線束がテープで結束して構成されていてもよいし、電線束が外装部材によって覆われていてもよい。そして、ワイヤーハーネス１は、延在方向における部分によって、車種によって又は同じ配索箇所でもバージョン違いの車両によって、径が異なることがある。以下、説明の便宜上、ワイヤーハーネス１のうち、基準寸法（例えば５ｍｍ）以上の径のものを大径のワイヤーハーネス１ａ、基準寸法に満たない径のものを小径のワイヤーハーネス１ｂと呼ぶことがある。
【００２５】
このワイヤーハーネス１は、配索経路に沿って車両に配索される。この際、ワイヤーハーネス１は、延在方向において部分的に車両各部（固定相手部９０）に対して固定される。固定相手部９０は、例えば車両の車体を構成する金属パネルであり、厚さ方向に貫通する固定用孔部９２が形成されている。
【００２６】
ハーネスクランプ１０は、固定部２０と、バンド部３０と、バンド係止部４０と、小型突部５０と、大型突部６０とを備えている（図１〜図４参照）。概略的には、ハーネスクランプ１０は、ワイヤーハーネス１の外周部に巻き付けられたバンド部３０がバンド係止部４０により巻付形態に維持され、固定部２０が固定相手部９０の固定用孔部９２に対して固定されることにより、ワイヤーハーネス１を車両に固定する。また、ハーネスクランプ１０は、小型突部５０及び大型突部６０により、バンド部３０により保持されたワイヤーハーネス１に対する回転及び横ずれを抑制するように構成されている。
【００２７】
ここでは、ハーネスクランプ１０は、固定部２０、バンド係止部４０、小型突部５０及び大型突部６０が一体に形成された本体部材と、これとは別体に形成されたバンド部３０とが組み合わされることにより構成される（図４参照）。本体部材及びバンド部３０は、それぞれ、合成樹脂材料を射出成型等して形成されるとよい。
【００２８】
固定部２０は、固定相手部９０に対して固定される部分である。ここでは、固定部２０は、固定用孔部９２に対して嵌合可能に形成されている。固定部２０は、挿入部２２と、係止部２４と、押え部２６とを有している。
【００２９】
挿入部２２は、固定相手部９０の固定用孔部９２に挿入される部分である。この挿入部２２は、略直方体状に形成されている。より具体的には、挿入部２２の一対の側面（後述する係止部２４が設けられていない側面）は、固定用孔部９２の周縁部のうち対向する部分に沿った形状に形成されている。そして、挿入部２２は、挿入方向Ｓに沿って固定用孔部９２に挿入される。
【００３０】
係止部２４は、固定用孔部９２の周縁部に対して挿入部２２の挿入方向Ｓ前方側から係止する部分である。この係止部２４は、挿入部２２（ここでは挿入方向Ｓ前端部）の外周面から外周側に張り出す形状に形成され、挿入部２２の挿入方向Ｓ前方側から後方側に向けて徐々に張出寸法が大きくなっている。そして、係止部２４は、先端側部分が自由端とされて内周側に向けて弾性変形可能に形成されている。係止部２４の先端側部分には、挿入方向Ｓ後方に向かう係止面が設けられている。ここでは、係止面は、挿入部２２の挿入方向Ｓにおいて段階的に複数設けられている。すなわち、固定相手部９０であるパネルの厚さによって周縁部に係止する係止面が変わる。また、ここでは、係止部２４は、対向する２箇所に設けられている。
【００３１】
そして、係止部２４は、挿入部２２が固定用孔部９２に挿入されるにつれて内周側に弾性変形すると共に、係止面が固定用孔部９２を越えると弾性変形前の形態に復帰する。これにより、係止部２４は、係止面が固定用孔部９２の周縁部に対して挿入方向Ｓ前方側から係止する。
【００３２】
押え部２６は、固定用孔部９２の周縁部に対して挿入部２２の挿入方向Ｓ後方側から係止する部分である。この押え部２６は、挿入部２２（ここでは挿入方向Ｓ後端部）の外周部から外周側に張り出す鍔状に形成されている。ここでは、押え部２６は、略楕円形状（具体的には一対の弧状部を一対の直線部が結ぶ形状）に形成されている。
【００３３】
また、押え部２６の外周側部分は、外周縁部に近づくにつれて挿入部２２の挿入方向Ｓ前方側に向かう形状に形成されている。この押え部２６の外周側部分は、挿入方向Ｓ後方に向けて弾性変形可能（皿バネ状）である。押え部２６の外周縁部は、固定相手部９０の厚さ寸法より小さい（ここでは僅かに小さい）間隔をあけて設けられている。
【００３４】
また、押え部２６の内周側部分は、挿入方向Ｓにおいて、係止部２４の各係止面との間に固定相手部９０であるパネルの厚さ寸法と同じかそれより大きい（ここでは僅かに大きい）間隔をあけて設けられている。
【００３５】
そして、押え部２６は、挿入部２２が固定用孔部９２に挿入されるにつれて挿入方向Ｓ後方に向けて弾性変形する（図４参照）。これにより、係止部２４が固定用孔部９２の周縁部に対して挿入方向Ｓ前方側から係止した状態で、押え部２６は固定用孔部９２の周縁部に対して挿入方向Ｓ後方側から係止する。すなわち、押え部２６の弾性変形前の形状に復帰しようとして固定用孔部９２の周縁部を押圧する力により、係止部２４が固定用孔部９２の周縁部に押し付けられ、固定用孔部９２が挿入方向Ｓにおいて係止部２４と押え部２６との間に挟まれた状態に維持される。
【００３６】
また、固定部２０は、押え部２６の内周側部分の挿入方向Ｓ後端部に支持面２８を有している（図２参照）。支持面２８は、ワイヤーハーネス１を第１方向Ｒに沿って支持する面である。第１方向Ｒとは、押え部２６の長手方向及び一対の係止部２４が対向する方向と同方向である。ここでは、支持面２８は、挿入部２２の挿入方向Ｓに直交する形状に形成されている。
【００３７】
さらに、固定部２０は、支持方向Ｒに直交する第２方向Ｒにおいて隣合って支持面２８からその反対側の面まで貫通して形成され、バンド部３０を挿通可能な一対のバンド挿通孔部４５を有している。より具体的には、一対のバンド挿通孔部４５は、挿入方向Ｓに沿って貫通する形状に形成されている。また、一対のバンド挿通孔部４５は、第２方向Ｒにおける中心に対する両側の位置に対称に設けられている。この一対のバンド挿通孔部４５内には、後述するバンド係止部４０が設けられている。
【００３８】
また、一対のバンド挿通孔部４５は、それぞれ、支持面２８における開口縁部のうち、第２方向Ｒにおける外側の縁部が丸められている。この部分を、丸め部４６と呼ぶ。丸め部４６の曲率半径は、バンド部３０の締め付け易さの観点から言うと、より大きく設定されているとよい。
【００３９】
バンド部３０は、長手方向に沿って複数の被係止部３２が形成された帯状の部材である。より具体的には、バンド部３０は、一主面で開口する凹状の被係止部３２が、長手方向において間隔をあけて複数並んだ形状に形成されている（図４参照）。
【００４０】
バンド部３０は、固定部２０から延出するように設けられ、固定部２０の支持面２８側でワイヤーハーネス１の外周部に巻き付けられる（図４参照）。ここでは、バンド部３０は、一対のバンド挿通孔部４５に挿通される。より具体的には、バンド部３０は、一対のバンド挿通孔部４５に対して、両端部が挿入部２２の挿入方向Ｓ前方側から延出すると共に、中間部分が挿入方向後方側から延出して環状を成す形態で挿通される。すなわち、バンド部３０は、支持面２８に対向する位置で第１方向Ｒに沿って配設されるワイヤーハーネス１の外周部に巻き付けられる形態で、両端側部分がそれぞれ一対のバンド挿通孔部４５に挿通されている。この形態が、バンド部３０の巻付形態である。
【００４１】
バンド係止部４０は、バンド部３０に係止してバンド部３０を巻付形態に維持する部分である。ここでは、バンド係止部４０は、固定部２０において、一対のバンド挿通孔部４５内にそれぞれ設けられている（図３、図４参照）。この一対のバンド係止部４０は、一対のバンド挿通孔部４５に挿通されたバンド部３０が、挿入部２２の挿入方向Ｓ前方に移動することを規制するように形成されている。
【００４２】
一対のバンド係止部４０は、それぞれ、一対のバンド挿通孔部４５内に突出する形状に形成されている。より具体的には、バンド係止部４０は、挿入部２２の挿入方向Ｓ前方側を向くと共に挿入方向Ｓに略直交する係止面を有する突部を有している。そして、バンド係止部４０は、一対のバンド挿通孔部４５内に挿通されたバンド部３０の被係止部３２のうち挿入方向Ｓ後方側を向く内側面に対して、係止面が係止することにより、バンド部３０の移動を規制する。
【００４３】
ここでは、バンド係止部４０は、バンド挿通孔部４５の貫通方向に並ぶ２つの突部を有している。すなわち、バンド係止部４０は、同時に２つの被係止部３２に対して係止する。
【００４４】
小型突部５０及び大型突部６０は、ハーネスクランプ１０が固定対象であるワイヤーハーネス１に対して中心軸周りに回転又は延在方向に移動（横ずれ）することを抑制するための部分である。
【００４５】
小型突部５０は、主として、小径のワイヤーハーネス１ｂに対するハーネスクランプ１０の回転及び移動を抑制する部分である。この小型突部５０は、固定部２０の支持面２８のうち、第１方向Ｒにおけるバンド部３０（一対のバンド挿通孔部４５）の両側の位置のうちの少なくとも一方の位置から突出している。ここでは、小型突部５０は、第１方向Ｒに沿った方向におけるバンド部３０の両側の位置に設けられている。また、小型突部５０は、第２方向Ｒにおいて、中心に対する両側の位置に設けられている。すなわち、ここでは小型突部５０は４つ設けられている。
【００４６】
この小型突部５０は、第２方向Ｒにおいて、固定対象となるワイヤーハーネス１（１ｂ）のうち最も小径なものの径より小さい（ここでは僅かに小さい）間隔で設けられている。
【００４７】
また、小型突部５０は、小径のワイヤーハーネス１ｂの外周面に対して食い込み可能な突出寸法に設定されている。ここで、食い込むとは、ワイヤーハーネス１を構成する電線の外周面に食い込む場合、電線同士の間に入り込む場合、電線束を結束するテープ又は電線束を覆う外装部材の外周面に食い込む場合を含むものとする。もっとも、小型突部５０は、主として、電線の外周面又はテープ或いは外装部材の外周面に食い込むことによってワイヤーハーネス１ｂの回転及び横ずれを規制する。ここでは、小型突部５０は、先端部に半球形状を有する円柱状に形成されている。
【００４８】
大型突部６０は、大径のワイヤーハーネス１ａに対するハーネスクランプ１０の回転及び移動を抑制する部分である。この大型突部６０は、固定部２０の支持面２８のうち、第２方向Ｒにおいて、中心に対して小型突部５０よりも外側に位置すると共に、第１方向Ｒにおけるバンド部３０（一対のバンド挿通孔部４５）の両側のうちの少なくとも一方の位置から突出している。ここでは、大型突部６０は、第２方向Ｒにおいて、中心に対する両側の位置に設けられている。また、大型突部６０は、第１方向Ｒに沿った方向におけるバンド部３０の両側の位置に設けられている。すなわち、ここでは大型突部６０も４つ設けられている。
【００４９】
より具体的には、大型突部６０は、第２方向Ｒにおいて、大型のワイヤーハーネス１ａのうち最も小径なものの径（基準寸法（例えば５ｍｍ））より小さい（ここでは僅かに小さい）間隔で設けられている。
【００５０】
また、大型突部６０は、小型突部５０より大きく突出する形状に形成されている。より具体的には、大型突部６０は、大径のワイヤーハーネス１ａの外周面に対して食い込み可能な寸法に設定されている。大型突部６０は、主として、電線同士の間に入り込むことによって、又は、電線束を覆うテープ或いは外装部材の外周面に食い込むことによって、ワイヤーハーネス１ａの回転及び横ずれを規制する。ここでは、大型突部６０は、ワイヤーハーネス１の第１方向Ｒに沿って扁平に形成されると共に、第２方向Ｒから見て先端部が円弧状に形成されている。すなわち、小型突部５０及び大型突部６０各々の頭頂部は、ワイヤーハーネス１の損傷防止のために、湾曲した面で形成されている。
【００５１】
ハーネスクランプ１０の適用方法について説明する。
【００５２】
まず、ワイヤーハーネス１を、第１方向Ｒに沿わせて支持面２８上に配設する。このとき、ワイヤーハーネス１は、中心軸が第２方向Ｒにおけるほぼ中心に位置するように配設されるとよい。
【００５３】
次に、バンド部３０の長手方向中間部分を支持面２８上のワイヤーハーネス１の外周部に巻き付ける形態で、該バンド部３０の両端側部分を一対のバンド挿通孔部４５に挿通する。そして、挿入部２２の挿入方向Ｓ前方側からバンド部３０の両端部を引張ることにより、ワイヤーハーネス１を締め付けて保持する。ここで、バンド部３０を引っ張る際に、バンド部３０は、固定部２０の挿入方向Ｓ後端部で、丸め部４６に当接しつつ一対のバンド挿通孔部４５内に引き込まれる。このため、バンド部３０は、固定部２０の挿入方向Ｓ後端部でも、屈曲されずに丸め部４６の曲面に部分的又は全体的に沿って湾曲した形態となる。
【００５４】
また、バンド部３０がワイヤーハーネス１の外周部を締め付ける態様で巻き付けられた状態で、一対のバンド係止部４０がそれぞれバンド部３０の複数の被係止部３２のいずれかに対して係止することにより、ワイヤーハーネス１を保持した状態を維持することができる。
【００５５】
以上のようにバンド部３０が引っ張られてワイヤーハーネス１の外周部を締め付けた状態では、ワイヤーハーネス１が、第２方向Ｒにおいてほぼ中心に配設される。また、ワイヤーハーネス１は、バンド部３０により、小型突部５０又は大型突部６０に押し付けられる。
【００５６】
すなわち、大型のワイヤーハーネス１ａを対象とする場合、大型のワイヤーハーネス１ａの外周部に対して大型突部６０が食い込む（図５、図６参照）。図６では、大型のワイヤーハーネス１ａを構成する電線同士の間に大型突部６０が入り込んだ状態を示している。なお、大型突部６０は、電線の外周面に対して食い込んでいることもある。また、ワイヤーハーネス１ａの外周部又はその構成電線の外周部に対して、小型突部５０も食い込んだ状態となっていてもよい。
【００５７】
また、小型のワイヤーハーネス１ｂを対象とする場合、小型のワイヤーハーネス１ｂの外周部に対して大型突部６０が食い込む（図７、図８参照）。図８では、小型のワイヤーハーネス１ｂを両側方から挟む形態で、小型突部５０が小型のワイヤーハーネス１ｂの外周部に食い込んだ状態を示している。より具体的には、小型突部５０は、ワイヤーハーネス１ｂを構成する電線の外周面に対して食い込んでいる。
【００５８】
そして、挿入部２２を挿入方向Ｓに沿って固定用孔部９２に挿入することにより、固定部２０が固定相手部９０に対して固定される。すなわち、係止部２４及び押え部２６が、固定用孔部９２の周縁部に対してそれぞれ挿入方向Ｓ前後から係止する。これにより、ワイヤーハーネス１のうちハーネスクランプ１０が取り付けられた部分は、所定の固定相手部９０に対して固定される。
【００５９】
上記構成に係るハーネスクランプ１０によると、バンド部３０を固定部２０の支持面２８に沿わせたワイヤーハーネス１の外周部に巻き付けられた形態に維持して、固定部２０を固定相手部９０に固定することにより、ワイヤーハーネス１を固定相手部９０に固定することができる。また、固定部２０の支持面２８のうち、第１方向Ｒにおけるバンド部３０の両側のうちの少なくとも一方の位置において突出する小型突部５０と、第２方向Ｒにおける中心に対して小型突部５０よりも外側に位置すると共に、第１方向Ｒにおけるバンド部３０の両側のうちの少なくとも一方の位置において、小型突部５０より大きく突出する大型突部６０とを備えるため、より大きく異なる径に対応して、ワイヤーハーネス１を回転及び横ずれを規制しつつ保持することができる。
【００６０】
また、小型突部５０及び大型突部６０が、それぞれ第２方向Ｒにおいて中心に対する両側の位置に設けられている構成によると、ワイヤーハーネス１をバランスよく保持することができると共に、より確実にワイヤーハーネス１の回転及び横ずれを規制することができる。
【００６１】
また、小型突部５０及び大型突部６０が、それぞれ第１方向Ｒにおけるバンド部３０の両側の位置に設けられている構成によると、より確実にワイヤーハーネス１の回転及び横ずれを規制することができる。
【００６２】
また、バンド部３０が固定部２０と別体に形成されている構成によると、より簡易な形状となり、金型成型で容易に成形することができる。また、バンド部３０は、連続して供給される１本の長尺のバンド材がハーネスクランプ１０各々に対応した過不足ない長さで切断されることによって作製される。このため、バンド材の余剰部分（切除される部分）がほとんど生じず、材料の無駄を省くことができる。
【００６３】
また、固定部２０が、第２方向Ｒにおいて隣合うと共に支持面２８からその反対側の面まで貫通して形成されバンド部３０を挿通可能な一対のバンド挿通孔部４５を有し、バンド係止部４０が一対のバンド挿通孔部４５内にそれぞれ設けられ、一対のバンド挿通孔部４５がそれぞれ支持面２８における開口縁部のうち第２方向Ｒにおける外側の縁部に丸め部が形成されているため、バンド部３０を一対のバンド挿通孔部４５に通してワイヤーハーネス１を保持する際に、バンド部３０が屈曲されるのを抑制し、効率良く締め付け作業を行うことができる。
【００６４】
これまで、ハーネスクランプ１０について、固定部２０に形成された一対のバンド挿通孔部４５内にバンド係止部４０が設けられ、バンド部３０が本体部分と別体に形成された例で説明してきたが、この構成に限られるものではない。例えば、第２方向に貫通するバンド挿通孔部が形成された凸部が支持面２８上に設けられ、結束バンドのバンド部が前記バンド挿通孔部に通され、ワイヤーハーネスを締め付けて保持するように構成されていてもよい。なお、結束バンドとは、複数の被係止部が長手方向に複数形成されたバンド部とバンド部を挿通させて被係止部に係止可能な係止筐部とを有し、バンド係止部が複数の被係止部に選択的に係止することにより、バンド部により形成される環状部分の周長を調節及び維持可能な構成である。また、結束バンドの係止筐部が支持面２８上に設けられ、ハーネスクランプ全体として一体に形成された構成を採用することもできる。
【００６５】
また、小型突部５０及び大型突部６０がそれぞれ４つずつ設けられている例で説明してきたが、１つ又は４つ以外の複数設けられていてもよい。例えば、小型突部５０及び大型突部６０は、挿入方向Ｓにおけるバンド挿通孔部４５の一方側だけ、又は、挿入方向Ｓに直交する方向における中心に対する一方側だけに設けられていてもよい。すなわち、小型突部５０及び大型突部６０は、バンド部３０に干渉せず、それぞれ小型のワイヤーハーネス１ｂ又は大型のワイヤーハーネス１ａの外周部に食い込む位置に設けられていれば、個数及び位置を種々選択することができる。
【００６６】
以上のように、ハーネスクランプ１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００６７】
１、１ａ、１ｂ  ワイヤーハーネス
１０  ハーネスクランプ
２０  固定部
２８  支持面
３０  バンド部
３２  被係止部
４０  バンド係止部
４５  バンド挿通孔部
４６  丸め部
５０  小型突起
６０  大型突部
９０  固定相手部
Ｒ  第１方向
【図１】
2013118741.tif 000003
【図２】
2013118741.tif 000004
【図３】
2013118741.tif 000005
【図４】
2013118741.tif 000006
【図５】
2013118741.tif 000007
【図６】
2013118741.tif 000008
【図７】
2013118741.tif 000009
【図８】
2013118741.tif 000010